(57)【要約】【課題】外壁階間部への屋外側仕上げ材の取付けを容易に行うことができる構造を提供する。【解決手段】外壁の階間部に階間部止水用の金属製止水板３が設置されると共に、屋外側仕上げ材４の背面部にマグネット１２が備えられ、該マグネット１２を金属製止水板３に吸着させることにより、屋外側仕上げ材４が止水板３に取り付けられている。【選択図】      図１
2005180059.tif 000002
【特許請求の範囲】
【請求項１】
外壁の階間部に階間部止水用の金属製止水板が設置されると共に、屋外側仕上げ材の背面部にマグネットが備えられ、該マグネットを金属製止水板に吸着させることにより、屋外側仕上げ材が止水板に取り付けられていることを特徴とする外壁階間部の屋外側仕上げ材の取付け構造。
【請求項２】
屋外側仕上げ材の上端が、階上外壁部と突き合わせ状態になっている請求項１に記載の外壁階間部の屋外側仕上げ材の取付け構造。
【発明の詳細な説明】
【技術分野】
【０００１】
本発明は、外壁階間部の屋外側仕上げ材の取付け構造に関する。
【背景技術】
【０００２】
住宅等の建物の建築では、階間を挟む上下の外壁部の建方を終えた後、階間部の止水工事を行い、しかる後、階間部に面材等による屋外側仕上げ材を設置することが行われるが、階間部への屋外側仕上げ材の取付けが、非常に厄介であるという問題があった。
【０００３】
例えば、屋外側仕上げ材の取付けを、階上階下の外壁との間の横目地や、左右の隣り合う屋外側仕上げ材間の縦目地を通じて行う取付け構造では、屋外側から屋外側仕上げ材を支えながら狭い目地に工具を差し込んで取付けを行っていかなければならないし、目地を通じて取付けを行えない場合もある。また、屋外側仕上げ材の背面部に備えさせた引っ掛け部を階間部側の引っ掛け部に掛けて取り付ける構造では、引っ掛け部を目視しながら引っ掛けていくことができず、取付けに熟練を要する。
【発明の開示】
【発明が解決しようとする課題】
【０００４】
本発明は、上記のような問題点に鑑み、外壁階間部への屋外側仕上げ材の取付けを容易に行うことができる構造を提供することを課題とする。
【課題を解決するための手段】
【０００５】
上記の課題は、外壁の階間部に階間部止水用の金属製止水板が設置されると共に、屋外側仕上げ材の背面部にマグネットが備えられ、該マグネットを金属製止水板に吸着させることにより、屋外側仕上げ材が止水板に取り付けられていることを特徴とする外壁階間部の屋外側仕上げ材の取付け構造によって解決される。
【０００６】
この取付け構造では、外壁階間部を止水する止水材として金属製の止水板を用いていることにより、屋外側から、屋外側仕上げ材の背面部に備えられているマグネットを金属製の止水板に吸着させることで、屋外側仕上げ材を外壁階間部に取り付けることができ、外壁階間部への屋外側仕上げ材の取付けを、容易に行うことができる。
【０００７】
特に、屋外側仕上げ材の上端が、階上外壁部と突き合わせ状態になっている場合は、上記のようなマグネットによる取付け構造を採用することで、屋外側仕上げ材の上端を階上外壁の下端に突き合わせた後、突き合わせ部を中心に屋外側仕上げ材の下端側を止水板の側に回動させていけば、マグネットが止水板に吸着し、屋外側仕上げ材を適正な取付け状態に容易に取り付けることができる。
【発明の効果】
【０００８】
本発明は、以上のとおりのものであるから、外壁階間部への屋外側仕上げ材の取付けを容易に行うことができ、また、屋外側仕上げ材の上端を、階上外壁の下端と突き合わせ状態に取り付けなければならない場合であっても、その取付けを適正かつ容易に行うことができる。
【発明を実施するための最良の形態】
【０００９】
次に、本発明の実施最良形態を図面に基づいて説明する。
【００１０】
図１〜図４に示す実施形態の取付け構造において、１は階上外壁部、２は階下外壁部、３は階間止水板、４は階間の屋外側仕上げ材である。
【００１１】
階上階下の外壁部１，２は、図１及び図２に示すように、窯業系等の外壁面材５の背面部に発泡樹脂断熱材６が備えられたものからなっており、フレーム７，７を介して胴差８に取り付けられている。発泡樹脂断熱材６は、正面側に凹凸が備えられていて、外壁面材５との間に上下方向に空気を通す通気部９が形成されている。また、階上外壁部１の外壁面材５の下端部５ａは実加工が施されている。
【００１２】
階間止水板３は、金属単板、あるいは、樹脂が複合された複合金属板など、マグネットを吸着させる性質を備えた金属板からなっている。この階間止水板３は、その下端部が階下外壁部２の発泡樹脂断熱材６の立ち上がり部６ａの正面側に沿うように設置されると共に、上端部が階上外壁部１の発泡樹脂断熱材６の背面部に沿うように立ち上げられ、そして、階上外壁部１の発泡樹脂断熱材６が、階間止水板３の上端部と、階間止水板３の正面部に取り付けられたピース物の固定金物１０とで前後方向から挟み込まれることなどで取り付けられている。
【００１３】
階間の屋外側仕上げ材４は、階上階下の外壁部１，２の外壁面材５，５と同種の外壁面材からなっていて、その背面部には、ベース１１を介して面状のマグネット１２が取り付けられている。また、屋外側仕上げ材４の上端部４ａには実加工が施されている。
【００１４】
そして、この屋外側仕上げ材４は、図３（イ）に示すように、上端の実加工部分４ａを階上外壁部１の外壁面材５の実加工部分５ａに差し込んで屋外側仕上げ材４と階上外壁部１の外壁面材５とを突き合わせ状態にした後、その突き合わせ状態を維持しながら屋外側仕上げ材４の下端側を階間止水板３の側に回動させていき、屋外側仕上げ材４の背面部に備えられているマグネット１２を階間止水板３の正面部に吸着させることで、図３（ロ）に示すような取付け状態が得られる。
【００１５】
なお、屋外側仕上げ材４と階上外壁部１の外壁面材５との突き合わせ部分には、図１に示すように、水密材１３を介設しておくのもよい。また、マグネット１２は、階上外壁部１の通気部９と階下外壁部２の通気部９との連通状態を妨げない態様で備えられていることはいうまでもない。
【００１６】
また、本実施形態では、図４に示すように、屋外側仕上げ材４と階下外壁部２の外壁面材５との間の横目地１４に、該横目地１４を塞ぐ見切り材１５が設置されている。見切り材１５は、図４（イ）（ロ）に示すように、横目地１４の奥底面に下地材１６をビス１７で止め付け、図４（ハ）に示すように、この下地材１６に見切り材１５を保持させて取り付けられるようになっており、屋外側仕上げ材４が、その背面部に備えられたマグネット１２で階間止水板３の正面部に吸着されて取り付けられる構造となっていることにより、横目地１４内での下地材１６のビス打ち１７によって、屋外側仕上げ材４の取付けが困難になってしまうことはない。
【００１７】
上記の取付け構造では、外壁階間部を止水する止水材として、金属製の止水板３が用いられていることにより、屋外側から、屋外側仕上げ材４の背面部に備えられているマグネット１２を金属製の止水板３に吸着させることで、屋外側仕上げ材４を外壁階間部に取り付けることができ、外壁階間部への屋外側仕上げ材４の取付けを容易に行うことができる。
【００１８】
屋外側仕上げ材４は上下方向の寸法が短く、本実施形態の場合のように窯業系等の外壁面材からなる場合であっても、その重量はそう大きくはなく、マグネット１２でしっかりと取り付けることができる。なお、図示しないけれども、念のため、金物などによる脱落防止具で、屋外側仕上げ材４を階間部に保持させるようにしておくのもよい。
【００１９】
また、本実施形態の場合のように、屋外側仕上げ材４の上端を、階上外壁部１の外壁面材５の下端と突き合わせ状態にする場合は、上記のようなマグネット１２による取付け構造を採用することで、屋外側仕上げ材４の上端を階上外壁部１の外壁面材５の下端に突き合わせ状態にした後、突き合わせ部を中心に屋外側仕上げ材４の下端側を止水板３の側に回動させていけば、マグネット１２が止水板３に吸着し、屋外側仕上げ材４を上端が階上外壁部１と突き合わせ状態となる適正な配置状態に容易に取り付けることができる。
【００２０】
以上に、本発明の実施形態を示したが、本発明はこれに限られるものではなく、発明思想を逸脱しない範囲で各種の変更が可能である。例えば、本発明では、階間止水板３の取付け構造に制限はなく、要は、マグネット１２で取り付けられた屋外側仕上げ材４を、ぐらつきのない安定した保持状態にすることができるような取付け構造をしていればよい。また、上記の実施形態では、階間部の屋外側仕上げ材として、窯業系などの外壁面材を用いた場合を示しているが、金属や樹脂などによる階間部仕上げカバー材などであってもよい。更に、屋外側仕上げ材４を挟む上下の横目地部分の構造に制限はなく、各種態様の構造からなっていてよい。
【図面の簡単な説明】
【００２１】
【図１】実施形態の取付け構造を示す断面側面図である。
【図２】同断面斜視図である。
【図３】図（イ）は屋外側仕上げ材の取付け方法を示す断面側面図、図（ロ）はそま取付け状態を示す断面側面図である。
【図４】図（イ）〜図（ハ）は、屋外側仕上げ材と階下外壁部との間の横目地への見切り材の取付け方法を順次に示す断面側面図である。
【符号の説明】
【００２２】
１…階上外壁部
２…階下外壁部
３…金属製の階間止水板
４…屋外側仕上げ材
１２…マグネット
【図１】
2005180059.tif 000003
【図２】
2005180059.tif 000004
【図３】
2005180059.tif 000005
【図４】
2005180059.tif 000006